(57)【要約】  本発明の実施形態は、給電点、接地点、高周波数帯域で動作する高周波数放射器、及び低周波数帯域で動作する低周波数放射器を含むマルチバンドアンテナを提供する。前記高周波数放射器の一端は、前記給電点と電気的に接続されており、前記高周波数放射器の他端は、前記接地点と電気的に接続されており、前記高周波数放射器の両端間の電気的長さは、前記高周波数帯域の波長の半分であり、前記高周波数放射器は、第１の位置において、前記低周波数放射器に接続されており、前記第１の位置から前記給電点までの長さは、前記第１の位置から前記接地点までの長さより短い。
2017532886.tif 000002
【特許請求の範囲】
【請求項１】
マルチバンドアンテナであって、前記アンテナは、給電点、接地点、高周波数帯域で動作する高周波数放射器、及び低周波数帯域で動作する低周波数放射器を具備し、
前記高周波数放射器の一端は、前記給電点と電気的に接続されており、前記高周波数放射器の他端は、前記接地点と電気的に接続されており、前記高周波数放射器の両端間の電気的長さは、前記高周波数帯域の波長の半分であり、前記高周波数放射器は、第１の位置において、前記低周波数放射器に接続されており、前記第１の位置から前記給電点までの長さは、前記第１の位置から前記接地点までの長さ未満であることを特徴とするマルチバンドアンテナ。
【請求項２】
前記高周波数放射器の両端間の電気的長さが前記高周波数帯域の波長の半分であることは、前記給電点と前記接地点との間の長さは、前記高周波数帯域の前記波長の半分であることを具備することを特徴とする請求項１に記載のアンテナ。
【請求項３】
前記低周波数帯域は、６９８ＭＨｚ−９６０ＭＨｚにセットされ、前記高周波数帯域は、１７１０ＭＨｚ−２６９０ＭＨｚにセットされることを特徴とする請求項１に記載のアンテナ。
【請求項４】
前記高周波数放射器は、前記給電点から第１ノードまでの第１ブランチ、前記第１ノードから第２ノードへと延びる第２ブランチ、及び前記第２ノードから前記接地点へと延びる第３ブランチを具備し、前記第２ブランチの長さは、前記第１ブランチの長さと前記第３ブランチの長さよりも大きいことを特徴とする請求項１に記載のアンテナ。
【請求項５】
前記低周波数放射器は、前記給電点から始まり、前記第１ブランチに沿って第３ノードに延びる第４ブランチ、前記第３ノードから第４ノードに延びる第５ブランチ、前記第４ノードから第５ノードに延びる第６ブランチ、及び前記第５ノードから第６ノードに延びる第７ブランチを具備することを特徴とする請求項４に記載のアンテナ。
【請求項６】
前記第２、前記第５、及び前記第７ブランチは、同一平面を共有し、前記第１、前記第３、前記第４、及び前記第６ブランチは、同一平面を共有し、前記ブランチは、回転コーナーを使用して互いに接続されていることを特徴とする請求項５に記載のアンテナ。
【請求項７】
前記回転コーナーは、直角であることを特徴とする請求項６に記載のアンテナ。
【請求項８】
前記アンテナは、調整可能な構成要素をさらに具備することを特徴とする請求項１から７のいずれか一項に記載のアンテナ。
【請求項９】
請求項１から８のいずれか一項に記載のアンテナを具備する通信端末であって、プリント回路基板をさらに具備し、前記プリント回路基板は、導電性領域及び非導電性領域を具備し、前記導電性領域は、前記通信端末の基準グランドの一部として機能し、前記アンテナは、前記非導電性領域に配置されることを特徴とする通信端末。
【発明の詳細な説明】
【技術分野】
【０００１】
本発明は、移動通信技術の分野に関連し、特に、マルチバンドアンテナ及び通信端末に関する。
【背景技術】
【０００２】
現在、通信端末におけるアンテナは、ほとんどが逆Ｆアンテナ（ＩＦＡ）またはリングアンテナである。しかし、細い導線で作られている従来のＩＦＡまたはリングアンテナは少数の動作周波数帯域しかサポートしないが、オペレータは、通信端末が異なる通信周波数帯域で動作できるように、通信端末が可能な限り多くの周波数帯域をサポートすることを要求する。一つの解決策は、複数の周波数帯域をサポートするように、通信端末内のアンテナの数を増加させることである。しかし、これは、通信端末の小型化の傾向から離れ、通信端末のサイズを増大させる。
【発明の概要】
【課題を解決するための手段】
【０００３】
この観点から、本発明の実施形態は、アンテナの数を増やすことなく通信端末を複数の周波数帯域で動作させることができるような、マルチバンドアンテナ及び通信端末を提供する。
【０００４】
上記の目的を達成するために、本発明の実施形態では以下の技術的ソリューションが採用されている。
【０００５】
第１の態様によると、給電点、接地点、高周波数帯域で動作する高周波数放射器、及び低周波数帯域で動作する低周波数放射器を含んでいるマルチバンドアンテナが提供され、
前記高周波数放射器の一端は、前記給電点と電気的に接続されており、前記高周波数放射器の他端は、前記接地点と電気的に接続されており、前記高周波数放射器の両端間の電気的長さは、前記高周波数帯域の波長の半分であり、前記高周波数放射器は、第１の位置において、前記低周波数放射器に接続されており、前記第１の位置から前記給電点までの長さは、前記第１の位置から前記接地点までの長さより短い。
【０００６】
第１の態様に関連し、第１の態様の第１の可能な実施様式において、前記高周波数放射器の両端間の電気的長さが前記高周波数帯域の波長の半分であることは、前記給電点と前記接地点との間の長さが、前記高周波数帯域の前記波長の半分であることを含む。
【０００７】
第１の態様に関連し、第１の態様の第２の可能な実施様式において、前記低周波数帯域は、６９８ＭＨｚ−９６０ＭＨｚにセットされ、前記高周波数帯域は、１７１０ＭＨｚ−２６９０ＭＨｚにセットされる。
【０００８】
第１の態様に関連し、第１の態様の第３の可能な実施様式において、前記高周波数放射器は、前記給電点から第１ノードまでの第１ブランチ、前記第１ノードから第２ノードへと延びる第２ブランチ、及び前記第２ノードから前記接地点へと延びる第３ブランチを含み、前記第２ブランチの長さは、前記第１ブランチの長さと前記第３ブランチの長さよりも大きい。
【０００９】
第１の態様の第３の可能な実施様式に関連し、第４の可能な実施様式において、前記低周波数放射器は、前記給電点から始まり、前記第１ブランチに沿って第３ノードに延びる第４ブランチ、前記第３ノードから第４ノードに延びる第５ブランチ、前記第４ノードから第５ノードに延びる第６ブランチ、及び前記第５ノードから第６ノードに延びる第７ブランチを含む。
【００１０】
第１の態様の第４の可能な実施様式に関連し、第５の可能な実施様式において、前記第２、前記第５、及び前記第７ブランチは、同一平面を共有し、前記第１、前記第３、前記第４、及び前記第６ブランチは、同一平面を共有し、前記ブランチは、回転コーナー(rotation corner)を使用して互いに接続されている。
【００１１】
第１の態様の第５の可能な実施様式に関連し、第６の可能な実施様式において、前記回転コーナーは、直角である。
【００１２】
第１の態様及び第１の態様の第１から第６の可能な実施様式のいずれか１つに関連し、第７の可能な実施様式において、前記アンテナは、調整可能な構成要素をさらに含む。
【００１３】
第２の態様によると、第１の態様及び第１の態様の第１から第２の可能な実施様式のいずれか１つによるアンテナを含む通信端末が提供され、プリント回路基板をさらに含み、前記プリント回路基板は、導電領域および非導電領域を含み、前記導電領域は、前記通信端末の基準グランドの一部として機能し、前記アンテナは、前記非導電領域に配置される。
【００１４】
本発明の実施形態において提供されるアンテナ及び通信端末を使用することにより、低周波数放射器と高周波数放射器は、ルーティングの一部が共有され、高周波数放射器の両端間の電気的長さは、高周波数帯域の波長の半分であるため、通信端末は、アンテナの数を増加することなく、複数の動作周波数帯域をサポートすることが可能となる。
【００１５】
本発明の実施形態における技術的解決策をより明確に説明するために、以下で実施形態を説明するために必要な添付の図面について簡単に紹介する。以下の説明における添付の図面は本発明のいくつかの実施形態を示すものにすぎず、それでもなお、当業者が創造的な努力なしにこれらの添付の図面から他の図面を得ることができることは明らかである。
【図面の簡単な説明】
【００１６】
【図１】図１は、本発明の実施形態１に係るアンテナの概略構造図である。
【図２】図２は、図１に示されているアンテナに対応する通信端末の概略構造図である。
【図３】図３は、図１に示されているアンテナの定在波比シミュレーションの概略図である。
【図４】図４は、本発明の実施形態２に係るアンテナの概略構造図である。
【図５】図５は、本発明の実施形態３に係るアンテナの概略構造図である。
【図６】図６は、本発明の実施形態４に係るアンテナの概略構造図である。
【図７】図７は、本発明の実施形態５に係るアンテナの概略構造図である。
【図８】図８は、本発明の実施形態６に係るアンテナの概略構造図である。
【図９】図９は、本発明の実施形態７に係るアンテナの概略構造図である。
【発明を実施するための形態】
【００１７】
以下では、本発明の実施形態における添付の図面を参照しながら、本発明の実施形態における技術的ソリューションをより明確にかつ完全に説明する。説明される実施形態は、本発明の実施形態のすべてではなく、単にいくつかの実施形態を示すものにすぎないことは理解し得る。本発明の実施形態に基づき当業者が創造的な取り組み無しに得られる他のすべての実施形態は、本発明の保護範囲に含まれるものとする。
【００１８】
アンテナが携帯電話に適用されることは、以下の説明及び添付の図面において主に使用される。しかし、本発明はそのようなアプリケーションに限定されず、本発明の実施形態にしたがって提供されるアンテナソリューション設計を実装する、携帯電話、ページャ、コミュニケータ、電子マネージャ、スマートフォン、ＰＤＡ（パーソナル・デジタル・アシスタント）、及び車載無線通信装置を含む多くの他の通信端末、コンピュータ、プリンタ、ウェアラブルデバイス、ファクシミリなどに適用可能であることは理解され得る。通信端末は、複数の無線通信周波数帯域での無線通信をサポートでき、通信端末は、１つ又は複数のアンテナを含むことができる。
【００１９】
オプションとして、アンテナは、形成された金属シートまたは他の金属構造によって構成されもよく、ベースボード上の金属トラックなどの導電性トラックにより構成されてもよい。ベースボードは、プラスチック構造又は他の誘電体構造、例えば、ガラス繊維、エポキシ基盤などで満たされた堅いプリント回路基板（ＰＣＢ）ベースボードや、ポリイミド樹脂、又は他のフレキシブルプリント回路から作成されるベースボードであってよい。通信端末の筐体は、ステンレススチールやアルミニウムなどの導電性構造体により構成されてもよく、又はガラス、プラスチック、及びセラミックなどの誘電体材料によって構成されてもよい。オプションとして、導電性構造体の筐体は、ギャップ又は誘電領域を含むので、無線周波数信号が、ギャップ又は誘電領域を通過することができ、ギャップ又は誘電領域は、ディスプレイと筐体の間の境界において配置され得る。
【００２０】
通信端末は、例えば、ローカル・エリア・ネットワーク通信、データ通信、音声通信、ブルートゥース（登録商標）通信、近距離無線通信（ＮＦＣ）などをサポートする適切な通信周波数帯域をサポートするように設定され得る。
【００２１】
通信端末は、プロセッサやメモリなどの制御回路を含んでよく、特に、ハードディスク、不揮発性メモリ、揮発性メモリなどをさらに含んでもよい。制御回路は、１つまたは複数のマイクロプロセッサ、マイクロコントローラ、デジタル信号プロセッサ、ベースバンドプロセッサ、オーディオ・コーダ／デコーダ・チップ、特定用途向け集積回路、電力管理ユニットなどに基づき得る。
【００２２】
通信端末は、集積回路、電力増幅器、低雑音入力増幅器、受動無線周波数構成要素、回路、および無線周波数信号を処理するために使用される別の回路によって構成される1つまたは複数の無線周波数トランシーバを含む。無線周波数トランシーバ回路は、２．４ＧＨｚブルートゥース（登録商標）通信を処理するために使用されるトランシーバ回路、２．４ＧＨｚおよび５ＧＨｚ ＷｉＦｉ通信を処理するために使用されるトランシーバ回路、または７００ＭＨｚから約２７００ＭＨｚ通信を処理するのに適した言語通信回路を含み得る。
【００２３】
無線周波数トランシーバ回路とアンテナとの間には、フィルタ回路、整合回路などが含まれていてもよい。フィルタ回路は、対応する動作周波数帯域に通過帯域特性を提示するように構成されるとともに、動作周波数帯域以外の周波数帯域で阻止帯域に設定される帯域阻止フィルタ回路であってもよい。整合回路は、固定コンデンサ、固定インダクタなどを含むことができ、または調整可能なコンデンサ、調整可能なインダクタなどを含むことができ、アンテナの放射効率を最大にするようにアンテナを同調させるように構成される。
【００２４】
オプションとして、通信端末が手に持たれているときのアンテナ放射性能の干渉を低減するのを助けるように、本発明の実施形態で提供されるアンテナは、通信端末の上部または下部に配置される。本発明の実施形態で提供されるアンテナは、通信端末の別の位置に配置されてもよいことは理解され得る。
【００２５】
図１は、本発明の実施形態１に係るアンテナの概略構造図を示している。アンテナ１００は、給電点１０１、接地点１０２、高周波数帯域で動作する高周波数放射器１０３、及び低周波数帯域で動作する低周波数放射器１０４を含み、高周波数放射器１０３の一端は、給電点１０１と電気的に接続され、高周波数放射器１０３の他端は、接地点１０２と電気的に接続され、高周波数放射器１０３の両端間（図に示されているように１０１から１０２）の電気的長さは、高周波数帯域の波長の半分であり、高周波数放射器１０３は、第１の位置ａにおいて、低周波数放射器１０４と接続されており、第１の位置ａから給電点１０１の長さは、第１の位置ａから接地点１０２の長さよりも小さい。
【００２６】
図による提示を容易にするために、高周波数放射器１０３と、低周波数放射器１０４は、ともに線タイプにより提示されている。しかし、高周波数放射器１０３または低周波数放射器１０４は、長さも幅も有し得ることは理解され得る。加えて、図による提示を容易にするために、高周波数放射器１０３と、低周波数放射器１０４は、平面によって提示されてもよい。高周波数放射器１０３および低周波数放射器１０４は、同一平面を共有しても、異なる平面上にあってもよいことは理解され得る。
【００２７】
本発明の実施形態において提供されるアンテナを使用することにより、低周波数放射器と高周波数放射器は、ルーティングの一部が共有され、高周波数放射器の両端間の電気的長さは、高周波数帯域の波長の半分であるので、通信端末は、アンテナの数を増やすことなく、複数の周波数帯域で動作することが可能となる。
【００２８】
図２を参照すると、図１に示されているアンテナ１００は、ＰＣＢ１０５上に配置され得、ＰＣＢ１０５は、導電領域（斜線領域１０６）及び非導電領域１０７と共に提供され、導電領域１０６は、通信端末の基準グランド（図示せず）の一部として機能し得る。アンテナ１００は、高周波数放射器１０３及び低周波数放射器１０４を含む、非導電領域１０７に配置されたアンテナ放射器を含む。高周波数放射器１０３または低周波数放射器１０４は、形成された金属シートまたは他の金属構造体により構成されてもよく、又はベースボード上の金属トラックなどの導電トラックにより構成されてもよい。
【００２９】
給電点１０１は、無線周波数トランシーバ回路１０８と接続されていることは理解され得る。プロセッサなどのベースバンド回路１０９の信号が無線周波数トランシーバ回路１０８に送信された後、信号は、給電点１０１を通じてアンテナ１００に送信され、アンテナ１００を通じて自由空間に放射される。自由空間の信号がアンテナ１００により補足された後、信号は、給電点１０１を通じて無線周波数トランシーバ回路１０８に送信される。
【００３０】
接地点１０２は、通信端末の基準グランド（図に示されている斜線領域１０６）に、電気的に接続されている。オプションとして、基準グランドは、プリント回路基板、又はアンテナブラケット上の銅張り領域に配置され、本発明のこの実施形態は、銅張り領域の形状を限定するものではない。
【００３１】
オプションとして、高周波数放射器１０３の電気的長さが高周波数帯域の波長の半分であることは、アンテナ１００が比誘電率が１に近いベースボード上に配置されている場合には、給電点１０１と接地点１０３との間の物理的長さが高周波数帯域の波長の半分であることを含む。アンテナ１００が比誘電率が大きいベースボード上に配置されている場合には、給電点１０１と接地点１０２との間の物理的長さは、さらに短くなり得るが、給電点１０１と接地点１０２との間の電気的長さは、高周波数帯域の波長の半分である。給電点１０１と接地点１０２との間にキャパシタやインダクタなどの構成要素が存在する場合には、高周波数放射器１０３の長さは、さらに短くなり得るが、給電点１０１と接地点１０３との間の電気的長さは、高周波数帯域の波長の半分である。
【００３２】
アンテナのルーティング長を短くするために、低周波数放射器１０４と高周波数放射器１０３は、ルーティングの一部を共有し、低周波数放射器１０４が高周波数放射器１０３に接続される位置は、給電点１０１に近い。
【００３３】
オプションとして、低周波数放射器の長さは、低周波数帯域の波長の四分の一又は半分である。オプションとして、低周波数帯域は、６９８ＭＨｚ−９６０ＭＨｚにセットされ、高周波数帯域は、１７１０ＭＨｚ−２６９０ＭＨｚにセットされる。低周波数放射器上で、低周波数帯域の逓倍周波数帯域、すなわち、低周波数高次モードが発生し得ることが理解し得、例えば、低周波数帯域の逓倍周波数帯域は、約１５５０ＭＨｚ−１６５０ＭＨｚであり得る。
【００３４】
図３は、実施形態１に示されているアンテナの定在波比シミュレーションの概略図である。低周波数帯域はｆ１であり、高周波数帯域はｆ２であり、低周波数帯域の逓倍周波数帯域はｆ３である。あるいは、低周波数帯域がｆ１、高周波数帯域がｆ３、低周波数帯域の逓倍周波数帯域がｆ２である。ここで説明する低周波数帯域の逓倍周波数帯域とは、低周波数高次モードを指す。図１および図３を参照すると、アンテナ１００には、複数の周波数帯域で、特定の動作帯域幅が提供され、それにより、アンテナ１００の総帯域幅が増加することが分かる。給電点から接地点までのグランドルートが比較的短く、グランドルートが主にインピーダンス整合に用いられる従来のアンテナ形状と比較して、本発明のこの実施形態において提供されるアンテナでは、グランドルートの長さが増加し、給電点１０１と接地点１０２との間の電気的長さは、高周波数帯域の波長の半分にセットされるため、グランドルートは、主に、高周波数帯域の共振を生成するために使用される。
【００３５】
アンテナのサイズをさらに縮小するために、低周波数放射器１０４のルーティング様式が調整され得る。図４は、本発明の実施形態２に係るアンテナの概略構造図を示している。図に示されているアンテナは、給電点１０１、接地点１０２、高周波数放射ブランチ１０３、及び低周波数放射ブランチ１０４を含み、高周波数放射器１０３は、第１の位置ａにおいて、低周波数放射器１０４に接続されており、第１の位置ａから給電点１０１までの長さは、第１の位置ａから接地点１０２までの長さより短い。高周波数放射器は、給電点１０１から第１の位置ａ（以降第１ノードと称する)までの第１ブランチ、第１ノードａから第２ノードｂへと延びる第２ブランチ、および第２ノードｂから接地点１０３へと延びる第３ブランチを含み、第２ブランチの長さは、第１ブランチの長さと第３ブランチの長さよりも大きい。低周波数放射器１０４は、給電点１０１から始まり、第１ブランチに沿って第３ノードｃに延びる第４ブランチ、第３ノードｃから第４ノードｄに延びる第５ブランチ、第４ノードｄから第５ノードｅに延びる第６ブランチ、及び第５ノードｅから第６ノードｆに延びる第７ブランチを含む。オプションとして、第２、第５、及び第７ブランチは、同一平面を共有し、第１、第３、第４、及び第６ブランチが同一平面を共有し、オプションとして、ブランチは、回転コーナーを使用して互いに接続されており、オプションとして、回転コーナーは、直角である。例えば、高周波数放射器１０３は、給電点１０１からノードａまで延び、その後９０°まで屈曲しノードｂまで延び、ノードｂで接地点１０２までさらに９０°屈曲し、「］」形状のルーティングを形成する。高周波数放射器のルーティングの最長セグメントは、ノードａとｂとの間のルーティングである。必要に応じて、低周波数放射器１０４は、ノードｆを通過した後に、さらに屈曲して、蛇行ルーティングを形成し得る。
【００３６】
アンテナによりサポートされる動作周波数帯域をさらに増加させるために、アンテナのルーティング様式が変更されてもよい。図５は、本発明の実施形態３に係るアンテナの概略構造図を示している。アンテナは、給電点１０１、接地点１０２、高周波数帯域で動作する高周波数放射器１０３、及び低周波数帯域で動作する低周波数放射器１０４を含み、高周波数放射器１０３の一端は、給電点１０１と電気的に接続され、高周波数放射器１０３の他端は、接地点１０２と電気的に接続され、高周波数放射器１０３の両端（図に示されているように１０１から１０２）の間の電気的長さは、高周波数帯域の波長の半分であり、高周波数放射器１０３は、第１の位置ａにおいて、低周波数放射器１０４と接続され、第１の位置ａから給電点１０１までの長さは、第１の位置ａから接地点１０２までの長さよりも短い。アンテナは、リング放射器１１１をさらに含み、リング放射器１１１の一端は、グランド１１０に接続され、他端は、給電点１０１に接続され、リング放射器１１１のルーティングの一部は、高周波数放射器１０３のルーティングの一部（給電点１０１から第１の位置ａまでの一部）とオーバーラップし、高周波数モードを励起するために、リング放射器１１１の長さは、共振周波数の波長の半分であり得、又は、整合インダクタとして機能するように、リング放射器１１１の長さは特定の周波数の波長の四分の一よりも短くてもよい。必要に応じて複数の同様のリング放射器が配置され得る。
【００３７】
アンテナのサイズをさらに小さくするために、高周波数放射器１０３のルーティング様式を調整し得る。図６は、本発明の実施形態４に係るアンテナの概略構造図を示している。アンテナの低周波数放射器１０４は、図４および図５に示されている実施形態におけるそれらと同様であり、ここでは再び説明しない。低周波数放射器１０４は、別の形状であってもいことは理解され得る。本発明のこの実施形態において、高周波数放射器１０３は、給電点からノードａへの第１ブランチ、ノードａからノードｂへの第２ブランチ、ノードｂからノードｃへの第３ブランチ、ノードｃからノードｄへの第４ブランチ、及びノードｄから接地点１０２への第５ブランチを含み、給電点から接地点への全長は、高周波数放射器１０３が動作する高周波数帯域の波長の半分であり、ブランチは、回転コーナーを使用することにより接続され、オプションとして、回転コーナーは、直角である。屈曲させることにより、高周波数放射器１０３はより小さいサイズに圧縮され、それにより、アンテナのサイズがさらに縮小される。アンテナのサイズをさらに小さくするために、必要に応じて、屈曲回数、屈曲形状、及びルーティングの各セグメントの長さは、異なってセットされ得る。
【００３８】
アンテナのサイズをさらに小さくするために、調整可能な構成要素をアンテナに追加してもよく、調整可能な構成要素は、調整可能なキャパシタ、調整可能なインダクタなどであり得る。図７は、本発明の実施形態５に係るアンテナの概略構造図を示している。図７において示されているアンテナルーティングは、図４のものと同様であり、ここでは再び説明しない。異なる点は、アンテナが調整可能なキャパシタ１１２を含んでいることであり、調整可能なキャパシタ１１２の一端が、高周波数放射器１０３に接続され、調整可能なキャパシタ１１２の他端は接地されており、調整可能なキャパシタ１１２の一端は、低周波数放射器１０４に接続され得、他端が接地してもよいことは理解され得る。さらに、調整可能な構成要素は、必要に応じて、高周波数放射器１０３（図8及び図９に示されているように）上、または低周波数放射器１０４上にさらに配置されてもよい。具体的には、アンテナ上の調整可能な構成要素の位置、調整可能なキャパシタのサイズなどは、必要に応じてすべてセットされ得る。加えて、アンテナは、整合構成要素に直列にさらに接続されてもよく、又は、アンテナは、整合構成要素を使用することによりさらに接地されてもよく、整合構成要素は、スイッチ、固定値のキャパシタ、固定値のインダクタ、固定値のフィルタ構成要素などが含まれるが、本発明のこの実施形態において限定されるものではない。
【００３９】
前述の実施形態における様式は、自由に組み合わせることが理解され得る。例えば、高周波数放射器又は低周波数放射器のルーティング様式が変更され、調整可能な構成要素が同時にさらに追加される。
【００４０】
本発明のこの実施形態において提供されるアンテナを使用することにより、低周波数放射器と高周波数放射器が、ルーティングの一部を共有し、高周波数放射器の両端間の電気的長さが、高周波数帯域の波長の半分であるので、アンテナの数を増やすことなく通信端末によりサポートされる動作周波数帯域が増加される。
【００４１】
図２を参照すると、図２は、通信端末の概略構造図を示しており、通信端末は、前述の実施形態において説明したアンテナ１００を含み得、プリント回路基盤１０５をさらに含み得る。プリント回路基盤１０５は、導電領域１０６と非導電領域１０７とを含み、導電領域１０６は、通信端末の基準グランドの一部として機能する。アンテナ１００は、非導電領域１０７内に配置される。
【００４２】
上述した実施形態では、各実施形態の説明にそれぞれ重点を置いている。一実施形態において詳細に説明されていない部分については、他の実施形態における関連説明を参照することができる。
【００４３】
第１及び第２などの関連する用語は、あるエンティティ又は動作を別のエンティティ又は動作と区別するためにのみ使用され、これらのエンティティ又は動作の間になんらかの実際の関連性又はシーケンスが存在することを必ずしも必要又は暗示しているわけではないことに留意すべきである。
【００４４】
本発明のいくつかの実施形態において言及される「ユニット」及び「回路」は、対応する機能を実施できるハードウェア、及び／又はソフトウェアの組み合わせ、すなわち、ハードウェア、ソフトウェア、又はソフトウェアとハードウェアの組み合わせの実装様式が考えられ得ることに留意すべきである。
【００４５】
前述の電気的接続様式は、異なるユニット、構成要素、及び回路が直接物理的に接触又は電気的に接触する様式を含み、たとえ異なるユニット、構成要素、及び回路が直接物理的に接触又は電気的に接触していなくても依然として電気信号を送信することができる様式も含むことに留意すべきである。
【００４６】
上記の説明は本発明の特定の実施形態にすぎないが、本発明の保護範囲を限定するものではない。本発明を逸脱することなく当業者によって行われるいかなる変形または置換も、本発明の保護範囲内に入るものとする。したがって、本発明の保護範囲は、特許請求の範囲の保護範囲に従うものとする。
【符号の説明】
【００４７】
１００  アンテナ
１０１  給電点
１０２  接地点
１０３  接地点
１０４  低周波数放射器
１０５  プリント回路基盤
１０６  導電領域
１０７  非導電領域
１０８  無線周波数トランシーバ回路
１０９  ベースバンド回路
１１０  グランド
１１１  リング放射器
１１２  調整可能なキャパシタ
【図１】
2017532886.tif 000003
【図２】
2017532886.tif 000004
【図３】
2017532886.tif 000005
【図４】
2017532886.tif 000006
【図５】
2017532886.tif 000007
【図６】
2017532886.tif 000008
【図７】
2017532886.tif 000009
【図８】
2017532886.tif 000010
【図９】
2017532886.tif 000011
【国際調査報告】
2017532886.tif 000012
2017532886.tif 000013
2017532886.tif 000014
2017532886.tif 000015